(57)【要約】【課題】熟練者でなくても簡単に押え材の装着、デッキ材の根太に対する固定作業ができるデッキ材固定装置を提供する。【解決手段】根太１の上にデッキ材２を載置し、隣接するデッキ材の対向面に形成してある溝に押え材を掛け渡し、隣接するデッキ材の間からねじ５を押え材に貫通して根太にねじ込むことによりデッキ材を根太に固定する装置において、（ａ）根太に凸部を形成し、（ｂ）押え材は、その押え材に貫通したねじを根太の凸部に鞍座する、弾性鞍部材に仮螺着してなる鞍付き押え材とし、（ｃ）押え材又は鞍部材に、その両端部が近接される二つのデッキ材に当接されて両デッキ材の間に所定間隔を設定する寸法を備えた。【選択図】      図３
2004218312.tif 000002
【特許請求の範囲】
【請求項１】
根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置において、
前記根太の上面に凸部が形成してあること、
前記押え材は、その押え材に貫通したねじを前記根太の凸部に鞍座する、弾性を有する鞍部材に仮螺着してなる鞍付き押え材であること、及び、
前記押え材又は鞍部材は、その両端部が近接される二つのデッキ材に当接されて両デッキ材の間に所定間隔を設定する寸法を有すること、
を特徴とするデッキ材固定装置。
【発明の詳細な説明】
【０００１】
【発明の属する技術分野】
本発明は、例えばガーデンデッキ等において用いられるデッキ材固定装置、さらに詳しくは、根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置に関する。
【０００２】
【従来の技術】
図７は、比較的最近実施されているデッキ材固定装置の工程図である。
このデッキ材固定装置は、図７（ａ）に示すように、根太１の上に先に固定されたデッキ材２１  に後のデッキ材２２  の一端側を近接し、その際に、先のデッキ材２１  の溝３１  に押え材４の一端部を嵌合しながら、その押え材４の他端部を後のデッキ材２２  の溝３２  に嵌合し、後のデッキ材２２  を根太１の上面に載置した状態で図７（ｂ）に示すように先のデッキ材２１  方向に寄せて、押え材４によりそれ以上の移動を阻止させることにより、隣接するデッキ材２１  ，２２  間に所定の間隔を確保し、両デッキ材２１  ，２２  の間からねじ５を押え材４に貫通し根太１にねじ込むことにより、デッキ材２１  ，２２  …を順次根太に固定するものである。
【０００３】
【発明が解決しようとする課題】
上記先行技術による場合は、押え材４を単にデッキ材の溝に緩く嵌合するだけで装着するため、先のデッキ材２１  の溝３１  に押え材４の一端部を嵌合しながら、その押え材の他端部を後のデッキ材２２  の溝３２  に嵌合する際に、後のデッキ材に僅かのふらつきが生じても、押え材の両端部を隣接するデッキ材の溝に適切に嵌合することができないので、デッキ材の近接作業及び押え材の装着作業に慎重さと熟練が要求され、施工能率の向上に限界があった。
【０００４】
本発明は、上記の事情に鑑みてなされたものであり、その課題は、熟練者でなくても簡単な作業により押え材の装着ができ、デッキ材の根太に対する固定作業が能率的にできるデッキ材固定装置を提供することにある。
【０００５】
上記課題を解決するため、本発明は、根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置において、（ａ）根太の上面に凸部が形成してあること、（ｂ）押え材は、その押え材に貫通したねじを前記根太の凸部に鞍座する、弾性を有する鞍部材に仮螺着してなる鞍付き押え材であること、及び、（ｃ）押え材又は鞍部材は、その両端部が近接される二つのデッキ材に当接されて両デッキ材の間に所定間隔を設定する寸法を有することを特徴としている。
【０００６】
上記構成により、一つのデッキ材を根太の所定位置に載置した状態で鞍付き押え材を鞍部材において根太の凸部に鞍座させるとともに、押え材の一端部側を前記一つのデッキ材の溝に嵌合し、隣りのデッキ材を根太に載置して、押え材の他端部側がその隣のデッキ材の溝に嵌合し、押え材又は鞍部材の両端部が隣り合うデッキ材に当接して接近が抑止されるまで前記隣りのデッキ材を前記一つのデッキ材方向に接近させ、両デッキ材の間から挿入される工具で仮螺着されているねじを根太にねじ込むと、デッキ材がそれぞれ根太に固定され、両デッキ材の間に所定間隔が確保される。
【０００７】
【発明の実施の形態】
次に、本発明の実施の形態について、図面を用いて説明する。
図１は本発明において用いられる鞍付き押え材の斜視図、図２は同じく分解斜視図、図３及び図４はデッキ材を根太に固定するために、鞍付き押え材を根太に装着した状態を示すものであり、図３は正面図、図４は図３のＸ−Ｘ線断面図、図５及び図６は鞍付き押え材により両デッキ材を根太に固定した状態を示すものであり、図５は正面図、図６は図５のＹ−Ｙ線断面図である。図７の構成部材と共通の構成部材には同一の符号を用いる。
【０００８】
図１のＡは本発明において用いられる鞍付き押え材の一例であり、押え材１０と、その押え材のほぼ中央の下面にねじ５により仮螺着される鞍部材２０とからなっている。
【０００９】
押え材１０は、アルニウム等の金属押出し形材を根太１の幅とほぼ等しい長さを有するように切断して矩形平板状に作られている。そして、押え材１０のほぼ中央にねじ５を貫通する孔１１が設けられている。
【００１０】
鞍部材２０は、合成ゴム等の弾性材料の偏平Ａ字形の押出し形材を所定の長さに切断して作られ、上部に上下方向に弾力的に変形し得る中空部２１を有し、その中空部の両側端部から下方に突出する脚２２を有しており、中空部の上面から下方に貫通して、ねじ５をねじ込むことができる孔２３が設けられている。
鞍部材２０の高さ、すなわち、脚２の下端面から中空部２１の上面までの距離は、デッキ材の溝３を形成する下壁の高さよりも若干高くしてある。
【００１１】
そして、押え材１０の下面に鞍部材２０の上面を当接し、押え材の孔１１からねじ５を貫通し、鞍部材２０の孔２３に、図１に示すように、ねじ５の下端部が鞍部材２０の脚２２よりも下方に突出しない程度に仮にねじ込むことにより（この状態を仮螺着という）、鞍付き押え材Ａが構成されている。
【００１２】
上記鞍付き押え材Ａを用いるためには、根太１には、図３及び図４に示すように、根太１の上面中央に上方に突出する凸部１ａが設けられる。この凸部１ａは、鞍部材２０の両脚２２の間に嵌合して鞍部材２０を保持するためのもの、すなわち、鞍部材２０を根太１に鞍座してねじ５をねじ込むためのものであり、その断面形状は問わない。好ましくは、凸部１ａの幅は鞍部材２０の両側の脚２２の間の距離よりも若干大きく設定されている。これにより、鞍部材２０を根太１の凸部１ａに鞍座させた時に、両脚２２が凸１ａ部を弾力的に挟持するので、不要に脱落するのを防止することができる。
【００１３】
上記鞍付き押え材Ａを用いて、デッキ材を根太に固定するには、図３，４に示すように、鞍部材２０の両脚２２の間を若干開きながら両脚２２の間に凸部１ａを嵌合し、鞍付き押え材Ａを鞍部材２０において凸部１ａに沿って先に載置された又は一端部側（図３では左側）が固定されたデッキ材２１  の方向に摺動させて、押え材１０の一端部側をデッキ材２１  の溝３１  に嵌合させる。この時、押え材１０の一端部が溝３１  の内面に当接し、及び／又は、鞍部材２０の一端面がデッキ材２１  の溝３１  の下壁の先端に当接して、鞍付き押え材Ａのデッキ材２１  方向への接近が規制されるまで、鞍付き押え材Ａを摺動させる。
【００１４】
続いて、図３に実線で示すように、隣りのデッキ材２２  を根太１の上面に載置し、同図に鎖線で示すように、そのデッキ材２２  を先に載置された又は一端部側（図３では左側）が固定されたデッキ材２１  の方向に、押え材１０の他端部がデッキ材２２  の溝３２  の内面に当接し、及び／又は、鞍部材２０の他端面がデッキ材２２  の溝３２  の下壁の先端に当接して、デッキ材２１  方向への接近が規制されるまで、摺動させる。
【００１５】
押え材１０の両端部が隣り合うデッキ材２１  ，２２  の溝３１  ，３２  の内面に当接した時、又は鞍部材２０の両端面がデッキ材２１  ２２  の溝３１  ，３２  の下壁の先端に当接した時、隣り合うデッキ材２１  ，２２  の間に所定間隔が確保される。隣接するデッキ材の間に所定間隔を確保するには、（ｉ）各デッキ材の溝の底部に当接される押え材１０の幅を所定寸法に設定する、（ｉｉ）各デッキ材の溝を形成する下壁の対向面に当接する鞍部材２０の幅を所定寸法に設定する、のいずれか一方又は双方を用いることができる。
【００１６】
上記のように、鞍付き押え材Ａを介して隣り合うデッキ材２１  ，２２  の間に所定間隔が設定された後、図５，６に示すように、デッキ材２１  ，２２  の間からドライバ等の工具を挿入し、仮螺着されていたねじ５を根太１にねじ込む。これにより、デッキ材２１  ，２２  が固定される。図５の右側のデッキ材２２  は、次に固定されるデッキ材に対して図３における左のデッキ材に相当し、次に固定されるデッキ材は図３の右のデッキ材に相当することとなり、他の鞍付き押え材を用いて、上述した場合と同様にして隣り合うデッキ材の間に所定間隔を確保しながら根太に固定することができる。
図示の例は、根太の上面に根太の幅よりも小さい凸部１ａを形成して、これに鞍部材２０を鞍座させたが、凸部１ａに代えて根太１自体の上部に鞍部材を鞍座させるようにしても同様の作用効果が得られる。従って、凸部には根太自体の上部を含むものである。
【００１７】
【発明の効果】
上述のように、本発明によれば、一つのデッキ材を根太に載置する度に鞍付き押え材を根太の凸部に嵌合して保持し、隣りのテッキ材を根太に載置して、先のデッキ材の方向に鞍付き押え材により停止されるまで摺動し、停止されたらねじをねじ込むだけで隣り合うデッキ材を固定することができるので、熟練者でなくても簡単な作業により押え材の装着作業及びデッキ材の根太に対する固定作業を能率的に行うことができる。従って、デッキ組立ての施工期間を短縮することができる。
【図面の簡単な説明】
【図１】本発明において用いられる鞍付き押え材の斜視図。
【図２】同じく分解斜視図。
【図３】デッキ材を根太に固定するために、鞍付き押え材を根太に装着した状態を示す正面図。
【図４】図３のＸ−Ｘ線断面図。
【図５】鞍付き押え材により両デッキ材を根太に固定した状態を示す正面図。
【図６】図５のＹ−Ｙ線断面図。
【図７】従来技術の一例のデッキ材固定工程図。
【符号の説明】
１          根太
２１  ，２２    デッキ材
Ａ          鞍付き押え材
１０      押え材
１１      ねじ貫通孔
２０      鞍部材
２１      中空部
２２      脚
２３      孔
５      ねじ
【図１】
2004218312.tif 000003
【図２】
2004218312.tif 000004
【図３】
2004218312.tif 000005
【図４】
2004218312.tif 000006
【図５】
2004218312.tif 000007
【図６】
2004218312.tif 000008
【図７】
2004218312.tif 000009